(57)【要約】    【構成】  基礎貫通継手１０は、コンクリート基礎１０２を貫通する鞘管１２の内部に屋内排水管１０４と屋外排水管１０６とを接続する内管１４を挿通させた継手である。鞘管１２は、鞘管エルボ１６および鞘管ストレート１８を組み合わせて形成され、内管１４は、内管エルボ３８、第１内管ストレート４０、内管ソケット４２および第２内管ストレート４４を組み合わせて形成される。内管エルボ３８は、鞘管エルボ１６の内部に抜き差し可能な状態で収容され、その流入口（４８）に第１内管ストレート４０が接着接合される。また、内管エルボ３８の流出口（５０）には、内管ソケット４２がゴム輪接合され、内管ソケット４２には、第２内管ストレート４４が接着接合される。さらに、内管ソケット４２は、鞘管エルボ１６の第２開口部２８に係合手段によって係合される。    【効果】  作業性に優れ、かつ内管どうしの接続不良を防止することができる。【選択図】図１
2015045374.tif 000002
【特許請求の範囲】
【請求項１】
建物の基礎を貫通する鞘管の内部に挿通させた内管によって屋内排水管と屋外排水管とを接続する基礎貫通継手であって、
前記鞘管は、
一端に第１開口部を有し、かつ他端に前記第１開口部と所定角度をなす第２開口部を有する鞘管エルボ、および
一端が前記第２開口部に接続される鞘管ストレートを備え、
前記内管は、
一端と他端とが所定角度をなし、かつ前記第１開口部から抜き差し可能な状態で前記鞘管エルボの内部に配置される内管エルボ、
一端が前記内管エルボの前記一端に固定的に接続され、前記内管エルボから前記第１開口部に向けて延びる第１内管ストレート、
前記内管エルボの前記他端にゴム輪を介して着脱自在に接続されるとともに、前記第２開口部に係合手段によって着脱自在に係合される内管ソケット、および
一端が前記内管ソケットに固定的に接続され、前記内管ソケットから前記鞘管ストレートの他端に向けて延びる第２内管ストレートを備える、基礎貫通継手。
【請求項２】
前記内管ソケットを前記係合手段により前記第２開口部に固定することによって、それと同時に前記内管ソケットと前記内管エルボとが前記ゴム輪によって水密的に接続される、請求項１記載の基礎貫通継手。
【請求項３】
前記内管ソケットは、前記内管エルボの前記他端に形成された受口に挿入されるソケット差口と、前記第２内管ストレートの一端を受容するソケット受口とを有し、前記ソケット差口の外面または前記内管エルボの前記受口の内面に形成されたゴム溝に前記ゴム輪が設けられる、請求項１または２記載の基礎貫通継手。
【請求項４】
前記係合手段は、
前記内管ソケットの外面に設けられた係合突起、および
前記第２開口部に設けられ、前記係合突起を着脱自在に係合する係合溝を含む、請求項１ないし３のいずれかに記載の基礎貫通継手。
【請求項５】
前記第２開口部は、
前記鞘管エルボから円筒状に突き出す突出部、および
前記突出部の外面に水密状態で外嵌される鞘管ソケットを含み、
前記鞘管ソケットに前記鞘管ストレートの一端が接続される、請求項１ないし４のいずれかに記載の基礎貫通継手。
【請求項６】
鞘管によって建物の基礎を貫通し、かつ前記鞘管の内部に挿通させた内管によって屋内排水管と屋外排水管とを接続した基礎貫通配管構造であって、
前記鞘管は、
一端に屋内で開口する第１開口部を有し、かつ他端に前記第１開口部と所定角度をなす第２開口部を有する鞘管エルボ、および
一端が前記第２開口部に接続され、かつ他端が屋外で開口する鞘管ストレートを備え、
前記内管は、
一端と他端とが所定角度をなし、かつ前記第１開口部から抜き差し可能な状態で前記鞘管エルボの内部に配置される内管エルボ、
一端が前記内管エルボの前記一端に固定的に接続され、かつ他端が前記屋内排水管に接続される第１内管ストレート、
前記内管エルボの前記他端にゴム輪を介して着脱自在に接続されるともに、前記第２開口部に係合手段によって着脱自在に係合される内管ソケット、および
一端が前記内管ソケットに固定的に接続され、かつ他端が前記屋外排水管に接続される第２内管ストレートを備える、基礎貫通配管構造。
【請求項７】
請求項６記載の基礎貫通配管構造を形成するための施工方法であって、
（ａ）基礎への鞘管の設置予定位置に合わせて、鞘管ストレートの長さを設置時にその管端が所定長さだけ基礎から突き出すように調整するステップ、
（ｂ）前記ステップ（ａ）で長さ調整を行った鞘管ストレートを鞘管エルボの第２開口部に接続して、前記鞘管を前記設置予定位置に設置するステップ、
（ｃ）鞘管内での内管ソケットの設置予定位置に合わせて、第２内管ストレートの長さを設置時にその管端が所定長さだけ基礎から突き出すように調整するステップ、
（ｄ）内管エルボの一端に第１内管ストレートを固定的に接続するステップ、
（ｅ）前記ステップ（ｃ）で長さ調整を行った第２内管ストレートを内管ソケットに固定的に接続するステップ、および
（ｆ）前記ステップ（ｄ）で第１内管ストレートと接続した内管エルボを鞘管の内部に挿入するとともに、前記ステップ（ｅ）で第２内管ストレートと接続した内管ソケットを鞘管の内部における前記設置予定位置まで挿入し、前記鞘管の内部において、前記内管ソケットを前記内管エルボの他端にゴム輪を介して着脱自在に接続するステップを含む、施工方法。
【請求項８】
（ｇ）基礎への鞘管の設置予定位置に合わせて、鞘管エルボの第１開口部またはそこに必要に応じて接続した調整管の長さを設置時にその上端が所定長さだけ基礎から突き出すように調整するステップ、および
（ｈ）鞘管内での内管エルボの設置予定位置に合わせて、第１内管ストレートの長さを設置時にその上端が所定長さだけ基礎から突き出すように調整するステップをさらに含む、請求項７記載の施工方法。
【発明の詳細な説明】
【技術分野】
【０００１】
この発明は、基礎貫通継手、基礎貫通配管構造およびその施工方法に関し、特にたとえば、建物のコンクリート基礎を貫通する鞘管の内部に屋内排水管と屋外排水管とを接続する内管を挿通した、基礎貫通継手、基礎貫通配管構造およびその施工方法に関する。
【背景技術】
【０００２】
従来の基礎貫通配管構造の一例が、特許文献１および２に開示されている。
【０００３】
特許文献１の基礎貫通配管構造では、縦さや管部と横さや管部とを一体に形成したさや管（鞘管）を建物の基礎に埋設し、そのさや管の中に、破壊（または切断や分離等）できるようにした９０°エルボ継手を配置している。９０°エルボ継手は、その突起を鞘管に嵌合させることによって位置決めされており、上流側接続口に屋内側の縦排水管が接着接合されるとともに、下流側接続口に屋外側の横排水管が接着接合されている。そして、９０°エルボ継手を破壊等することによって、上流側の継手半体と下流側の継手半体とに分離し、それぞれの継手半体と共に上流側の縦排水管および下流側の横排水管を鞘管から引き抜くことによって、排水管の補修や交換を行うようにしている。
【０００４】
また、特許文献２の二重管継手を用いた基礎貫通配管構造では、垂直上方向および水平方向に開口する鞘管の内部に内管を挿通するようにしており、鞘管の水平方向の管端に管継手を取り付け、その管継手を鞘管の管端に固定するとともに、その管継手によって内管を屋外側の排水管に接続するようにしている。
【先行技術文献】
【特許文献】
【０００５】
【特許文献１】特開２００９−１０２９２９号［Ｅ０３Ｃ  １／１２２］
【特許文献２】特許５１９１２１６号［Ｆ１６Ｌ  １／００］
【発明の概要】
【発明が解決しようとする課題】
【０００６】
特許文献１の技術では、９０°エルボ継手と上流側の縦排水管および下流側の横排水管をそれぞれ接着接合するようにしているため、たとえば深基礎のような垂直方向の厚みが大きい基礎にこの基礎貫通配管構造を施工しようとすると、作業者は基礎に埋設させた鞘管の中の数メートル離れた９０°エルボ継手の受口に基礎の外から縦排水管や横排水管を接着接合させる作業を行わなければならなかった。したがって、排水管の接続作業が非常に困難であり、しかも、その接続作業を行う時に使用した接着剤が鞘管の中ではみ出てしまい、鞘管の内部に固着してしまう恐れもあった。
【０００７】
なお、そのような不具合を回避するために、９０°エルボ継手と縦排水管や横排水管とを接着接合以外の方法を採用して接続することも考えられるが、その場合には、９０°エルボ継手自体は鞘管に対し突起により位置決めしているものの、９０°エルボ継手から横排水管が抜け出すことを防止することができないので、横排水管に屋外側から引っ張り方向への外力などが作用したときには、それによって接続不良が生じてしまったり、９０°エルボ継手の受口から横排水管が抜け出して離脱してしまったりする恐れがあった。
【０００８】
一方、特許文献２では、鞘管の水平方向の管端に管継手を固定するようにしているので、その管継手に接続された内管が引っ張り方向へ動くことを制限することが可能であるものの、施工場所によって鞘管の水平方向の長さを変えることができないという問題があった。すなわち、たとえば外断熱付きのコンクリート基礎であって水平方向の厚みが大きい時や、鞘管１２の立ち上げ位置（コンクリート基礎から垂直上方向に露出する位置）が壁面から遠くなってしまう時などにも、鞘管の水平方向の長さを変えることができないため、基礎の水平方向の厚みに合わせて鞘管を専用品として成形する必要があり、汎用性が低かった。
【０００９】
それゆえに、この発明の主たる目的は、新規な、基礎貫通継手、基礎貫通配管構造およびその施工方法を提供することである。
【００１０】
この発明の他の目的は、作業性に優れ、かつ内管どうしの接続不良を防止することができる、基礎貫通継手、基礎貫通配管構造およびその施工方法を提供することである。
【００１１】
さらに、この発明のさらに他の目的は、様々な基礎のサイズに対応させることが可能な、基礎貫通継手、基礎貫通配管構造およびその施工方法を提供することである。
【課題を解決するための手段】
【００１２】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【００１３】
第１の発明は、建物の基礎を貫通する鞘管の内部に挿通させた内管によって屋内排水管と屋外排水管とを接続する基礎貫通継手であって、鞘管は、一端に第１開口部を有し、かつ他端に第１開口部と所定角度をなす第２開口部を有する鞘管エルボ、および一端が第２開口部に接続される鞘管ストレートを備え、内管は、一端と他端とが所定角度をなし、かつ第１開口部から抜き差し可能な状態で鞘管エルボの内部に配置される内管エルボ、一端が内管エルボの一端に固定的に接続され、内管エルボから第１開口部に向けて延びる第１内管ストレート、内管エルボの他端にゴム輪を介して着脱自在に接続されるともに、第２開口部に係合手段によって着脱自在に係合される内管ソケット、および一端が内管ソケットに固定的に接続され、内管ソケットから鞘管ストレートの他端に向けて延びる第２内管ストレートを備える、基礎貫通継手である。
【００１４】
第１の発明では、基礎貫通継手は、建物のコンクリート基礎に設置される継手であって、鞘管と、鞘管の内部に挿通される内管とを備えている。鞘管は、鞘管エルボ、および鞘管ストレートからなり、鞘管エルボの一端には、たとえば垂直上方向に開口する第１開口部が形成される。また、鞘管エルボの他端には、たとえば水平方向に開口する第２開口部が形成され、この第２開口部には、鞘管ストレートの一端が接続される。たとえば、鞘管ストレートには、合成樹脂によって形成される汎用の直管が用いられる。また、内管は、内管エルボ、第１内管ストレート、内管ソケットおよび第２内管ストレートからなり、内管エルボは、第１開口部から抜き差し可能な状態で鞘管エルボの内部に収容される。内管エルボの一端には、第１内管ストレートが接着接合等される。たとえば、第１内管ストレートには、合成樹脂によって形成される汎用の直管が用いられる。また、内管ソケットは、内管エルボの他端に着脱自在にゴム輪接合されるとともに、鞘管エルボの第２開口部に係合手段によって着脱自在に係合される。内管ソケットには、第２内管ストレートが接着接合等される。たとえば、第２内管ストレートには、合成樹脂によって形成される汎用の直管が用いられる。
【００１５】
第１の発明によれば、内管エルボと第１内管ストレートとを、ならびに内管ソケットと第２内管ストレートとを接着接合等によって固定する作業を全て鞘管の外で行い、内管エルボと内管ソケットとをゴム輪接合する作業のみを鞘管の中で行うようにすることが可能である。すなわち、基礎のサイズに拘わらず簡単に内管の接続作業を行うことができ、しかも鞘管の中で内管の各部品どうしの接続に用いた接着剤がはみ出て固着するなどの不具合が生じることもないので、作業性が向上される。
【００１６】
さらに、内管ソケットを鞘管エルボの第２開口部に係合させるようにしているので、内管ソケットや第２内管ストレートが内管エルボから抜け出して接続不良が生じたり、離脱したりすることを防止することが可能である。
【００１７】
さらにまた、鞘管および内管が、現地でエルボに長さ調整した汎用の直管を接続することができる継管構造であるため、コンクリート基礎の各種寸法に基礎貫通継手を対応させることが可能であり、汎用性にも優れる。
【００１８】
第２の発明は、内管ソケットを係合手段により第２開口部に固定することによって、それと同時に内管ソケットと内管エルボとがゴム輪によって水密的に接続される。
【００１９】
第２の発明では、内管ソケットでは、内管エルボへの接続部と係合手段への係合部とが、内管ソケットを鞘管エルボの第２開口部に係合手段により係合させたときに、それと同時に内管ソケットが内管エルボにゴム輪接合されるように、所定の位置関係で設けられている。
【００２０】
第２の発明によれば、内管ソケットを鞘管エルボの第２開口部に係合させる作業と、内管エルボにゴム輪接合する作業とを同時に行うことができる。
【００２１】
第３の発明は、第１または２の発明に従属し、内管ソケットは、内管エルボの前記他端に形成された受口に挿入されるソケット差口と、第２内管ストレートの一端を受容するソケット受口とを有し、ソケット差口の外面または内管エルボの受口の内面に形成されたゴム溝にゴム輪が設けられる。
【００２２】
第３の発明では、内管ソケットの軸方向の一方端部には、内管エルボの他端に形成された受口に挿入されるソケット差口が形成され、その他方端部には、第２内管ストレートの一端を受容するソケット受口が形成される。たとえば、ソケット差口の外面や内管エルボの受口の内面には、ゴム溝が形成され、そこにゴム輪が設けられる。そして、内管ソケットを内管エルボに接続した時には、そのゴム輪によって内管ソケットと内管エルボとの間が止水される。
【００２３】
第４の発明は、第１ないし３のいずれかの発明に従属し、係合手段は、内管ソケットの外面に設けられた係合突起、および第２開口部に設けられ、係合突起を着脱自在に係合する係合溝を含む。
【００２４】
第４の発明では、第２開口部と内管ソケットとを着脱自在に係合させる係合手段として、第２開口部には、係合溝が形成され、内管ソケットの外面には、係合突起が形成される。
そして、内管ソケットを内管エルボの受口に差し込んでゴム輪接合するときに、内管ソケットの係合突起を鞘管エルボの第２開口部の係合溝に通して係止させることによって、内管エルボに対し内管ソケットが抜け方向に動くことが防止される。
【００２５】
第５の発明は、第１ないし４のいずれかの発明に従属し、第２開口部は、鞘管エルボから円筒状に突き出す突出部、および突出部の外面に水密状態で外嵌される鞘管ソケットを含み、鞘管ソケットに鞘管ストレートの一端が接続される。
【００２６】
第５の発明では、第２開口部は、鞘管エルボの下端の側面には、第１開口部と所定の角度をなす方向に短円筒状に突き出す突出部が形成され、その突出部の外面にたとえばゴム部材などを介在させた状態で鞘管ソケットを外嵌させて固定することによって、第２開口部が構成される。
【００２７】
第６の発明は、鞘管によって建物の基礎を貫通し、かつ鞘管の内部に挿通させた内管によって屋内排水管と屋外排水管とを接続した基礎貫通配管構造であって、鞘管は、一端に屋内で開口する第１開口部を有し、かつ他端に第１開口部と所定角度をなす第２開口部を有する鞘管エルボ、および一端が第２開口部に接続され、かつ他端が屋外で開口する鞘管ストレートを備え、内管は、一端と他端とが所定角度をなし、かつ第１開口部から抜き差し可能な状態で鞘管エルボの内部に配置される内管エルボ、一端が内管エルボの一端に固定的に接続され、かつ他端が屋内排水管に接続される第１内管ストレート、内管エルボの他端にゴム輪を介して着脱自在に接続されるともに、第２開口部に係合手段によって着脱自在に係合される内管ソケット、および一端が内管ソケットに固定的に接続され、かつ他端が屋外排水管に接続される第２内管ストレートを備える、基礎貫通配管構造である。
【００２８】
第６の発明では、基礎貫通継手をコンクリート基礎に施工し、鞘管がコンクリート基礎の屋内側と屋外側とを連通するように、つまり鞘管がコンクリート基礎を貫通し、その一端である鞘管エルボの第１開口部が屋内に露出して開口し、その他端である鞘管ストレートの管端が屋外に露出して開口するように配置するとともに、鞘管内に挿通させた内管の一端である第１内管ストレートの管端を屋内まで延ばして屋内排水管に接続し、その他端である第２内管ストレートの管端を屋外まで延ばして屋外排水管に接続することによって、基礎貫通配管構造が形成される。
【００２９】
第６の発明においても、第１の発明と同様の効果を奏する。
【００３０】
さらに、基礎貫通継手を建物のコンクリート基礎に施工した後でも、コンクリート基礎を傷めることなく、そして内管の各部品を壊す等することなく、内管の補修や交換が可能である。
【００３１】
第７の発明は、第６の発明の基礎貫通配管構造を形成するための施工方法であって、（ａ）基礎への鞘管の設置予定位置に合わせて、鞘管ストレートの長さを設置時にその管端が所定長さだけ基礎から突き出すように調整するステップ、（ｂ）ステップ（ａ）で長さ調整を行った鞘管ストレートを鞘管エルボの第２開口部に接続して、鞘管を設置予定位置に設置するステップ、（ｃ）鞘管内での内管ソケットの設置予定位置に合わせて、第２内管ストレートの長さを設置時にその管端が所定長さだけ基礎から突き出すように調整するステップ、（ｄ）内管エルボの一端に第１内管ストレートを固定的に接続するステップ、（ｅ）ステップ（ｃ）で長さ調整を行った第２内管ストレートを内管ソケットに固定的に接続するステップ、および（ｆ）ステップ（ｄ）で第１内管ストレートと接続した内管エルボを鞘管の内部に挿入するとともに、ステップ（ｅ）で第２内管ストレートと接続した内管ソケットを鞘管の内部における設置予定位置まで挿入し、鞘管の内部において、内管ソケットを内管エルボの他端にゴム輪を介して着脱自在に接続するステップを含む、施工方法である。
【００３２】
第７の発明では、ステップ（ａ）において、基礎への鞘管の設置予定位置に合わせて鞘管ストレートの長さを調整し、鞘管を設置した時に鞘管ストレートの管端が所定長さだけ基礎から突き出すようにする。ステップ（ｂ）において、長さ調整を行った鞘管ストレートを鞘管エルボの第２開口部に接続して鞘管を構成し、その鞘管を設置予定位置に設置する。ステップ（ｃ）において、鞘管内での内管ソケットの設置予定位置に合わせて第２内管ストレートの長さを調整し、鞘管の内部に内管を設置した時に第２内管ストレートの管端が所定長さだけ基礎から突き出すようにする。ステップ（ｄ）において、鞘管の外で、内管エルボの一方の受口に第１内管ストレートを接着接合等によって接続する。ステップ（ｅ）において、鞘管の外で、長さ調整を行った第２内管ストレートを内管ソケットに接着接合等によって接続する。そして、ステップ（ｆ）において、第１内管ストレートと接続した内管エルボを鞘管の内部に挿入するとともに、第２内管ストレートと接続した内管ソケットを鞘管の内部における設置予定位置まで挿入し、そのまま鞘管の内部において、内管ソケットを内管エルボの他方の受口にゴム輪を介して着脱自在に接続する。
【００３３】
第７の発明によれば、コンクリート基礎の水平方向の厚みに基礎貫通継手を対応させることが可能である。
【００３４】
第８の発明は、第７の発明に従属し、（ｇ）基礎への鞘管の設置予定位置に合わせて、鞘管エルボの第１開口部またはそこに必要に応じて接続した調整管の長さを設置時にその上端が所定長さだけ基礎から突き出すように調整するステップ、および（ｈ）鞘管内での内管エルボの設置予定位置に合わせて、第１内管ストレートの長さを設置時にその上端が所定長さだけ基礎から突き出すように調整するステップをさらに含む。
【００３５】
第８の発明では、ステップ（ｇ）において、基礎への鞘管の設置予定位置に合わせて、鞘管エルボの第１開口部の上下方向の長さを設置時にその上端が所定長さだけ基礎から突き出すように調整する。また、第１開口部に調整管や鞘管ストレートを接続する場合には、調整管や鞘管ストレートの長さを置時にその上端が所定長さだけ基礎から突き出すように調整する。そして、ステップ（ｈ）において、鞘管内での内管エルボの設置予定位置に合わせて、第１内管ストレートの長さを設置時にその上端が所定長さだけ基礎から突き出すように調整する。
【００３６】
第８の発明によれば、コンクリート基礎の垂直方向の厚みに基礎貫通継手を対応させることが可能である。
【発明の効果】
【００３７】
この発明によれば、内管エルボと第２内管ストレートとを内管ソケットを介してゴム輪接合するとともに、その内管ソケットを鞘管エルボの第２開口部に係合させるようにしているので、内管どうしをより簡単に接続することができるようになり、さらに内管に接続不良が生じることも回避できる。
【００３８】
さらに、鞘管および内管が継管構造を有しているので、基礎貫通継手を様々な基礎のサイズに対応させることが可能である。
【００３９】
この発明の上述の目的，その他の目的，特徴および利点は、図面を参照して行う以下の実施例の詳細な説明から一層明らかとなろう。
【図面の簡単な説明】
【００４０】
【図１】この発明の一実施例の基礎貫通継手をコンクリート基礎に施工して基礎貫通配管構造を形成した状態を示す図解図である。
【図２】図１の基礎貫通継手の構造を模式的に示す図解図である。
【図３】図２の鞘管を示す斜視図である。
【図４】図３の鞘管エルボを示す斜視図である。
【図５】鞘管エルボの内部に内管エルボを収容した状態を上面視した示す図解図である。
【図６】図１の鞘管エルボの第２開口部の構造を模式的に示す図解図である。
【図７】図２の基礎貫通継手の要部を示す図解図である。
【図８】図２の内管を示す斜視図である。
【図９】図８の内管エルボを示す斜視図である。
【図１０】図８の内管ソケットを示す斜視図である。
【図１１】（ａ）は、図８の内管ソケットを示す平面図であり、（ｂ）は、内管ソケットの軸方向断面を示す断面図である。
【図１２】（ａ）は、鞘管内に内管エルボおよび第１内管ストレートを収容する様子を示す図解図であり、（ｂ）は、鞘管内に内管ソケットおよび第２内管ストレートを収容する様子を示す図解図である。
【図１３】内管ソケットを鞘管エルボの第２開口部に係合させる様子を示す図解図である。
【発明を実施するための形態】
【００４１】
図１および図２を参照して、この発明の一実施例である基礎貫通継手１０は、建物のベタ基礎などのコンクリート基礎１０２に設置される継手であって、所謂、二重管構造を有しており、鞘管１２と、鞘管１２の内部に挿通される内管１４とを備えている。そして、図１に示すように、この基礎貫通継手１０をコンクリート基礎１０２に施工して、コンクリート基礎１０２の屋内側と屋外側とを連通するように鞘管１２を配置するとともに、内管１４によって屋内排水管１０４と屋外排水管１０６とを接続することにより、コンクリート基礎１０２に基礎貫通配管構造１００が形成される。
【００４２】
先ず、図３−図６と共に図１を適宜参照して、鞘管１２について具体的に説明する。
【００４３】
図３に示すように、鞘管１２は、別体に成形された鞘管エルボ１６、および鞘管ストレート１８を組み合わせることによって、全体として略Ｌ字状に形成され、基礎貫通継手１０の設置時には、コンクリート基礎１０２を貫通するようにされて、その一端が屋内で垂直上方向に開口し、その他端が屋外で水平方向に開口する。
【００４４】
ただし、ここで言う「垂直」や「水平」という表現は、厳密に垂直方向或いは水平方向と一致するか否かを定義するものではなく、施工時などに角度が多少変化した場合も含み、略垂直方向を含む垂直方向、或いは略水平方向を含む水平方向を意味することに留意されたい。同じように、後述する「直交」という表現も、厳密に直角に交わっているか否かを定義するものではなく、略直角に交わっている状態を含む直交を意味することに留意されたい。
【００４５】
図４に示すように、鞘管エルボ１６は、ポリエチレンなどの合成樹脂からなり、ブロー成形等によって形成される。鞘管エルボ１６は、軸方向に馬蹄形状（前方後円形状）を有する筒状に形成されるエルボ本体２０を含む。エルボ本体２０は、上下方向に延びるように設けられ、図５からよく分かるように、その内面の形状の寸法は、後述する内管エルボ３８を上下に抜き差し（取り出し）可能なように、内管エルボ３８の上方向からの平面視の外形（つまり、内管エルボ３８の投影形状）に対応した大きさに設定されている。すなわち、エルボ本体２０の内面における円形部分の周方向中央から方形部分の周方向中央までの水平距離が、内管エルボ３８の外面における流出口５０の端からその反対側における流入口４８の端までの水平距離よりも大きくなるように設定されている。エルボ本体２０の内面の最大距離は、たとえば１４０ｍｍである。
【００４６】
また、図４に戻って、エルボ本体２０の筒壁の所定位置には、配筋固定部２２が形成されている。配筋固定部２２は、エルボ本体２０から外側に突き出す突起を縦（上下）方向に並べて形成され、鞘管１２を建物の基礎型枠に配置する際などに、その突起どうしの間に配筋１０８や固定筋などを挟み込むことによって、鞘管エルボ１６を固定する機能を果たす。
【００４７】
エルボ本体２０の上端には、上方向に開口する第１開口部２４が形成され、その下端には、底面２６が形成される。第１開口部２４は、エルボ本体２０の外形（馬蹄形状）よりも大きな径の短円筒形状を有し、エルボ本体２０の上端開口から段差状に拡径して形成される。そして、後に詳細を説明するように、基礎貫通継手１０の設置時には、この第１開口部２４（または、ここに必要に応じて接続された調整管６４）が垂直方向に延びて、その上端がコンクリート基礎１０２から屋内に露出して開口する。第１開口部２４の径は、たとえば１８０ｍｍである。
【００４８】
また、エルボ本体２０の底面２６は、鞘管エルボ１６の内部に収容した内管エルボ３８の位置決めを行う位置決め部としての機能を果たし、内管エルボ３８の底部の当たり部５２の外形に合わせた形状を有している。そして、この底面２６から連続するように、エルボ本体２０の下端の筒壁には、第１開口部２４の軸線と直交する方向に突き出して開口する第２開口部２８が形成される。つまり、鞘管エルボ１６の一端には、第１開口部２４が形成され、その他端には、第２開口部２８が形成されている。
【００４９】
第２開口部２８は、上述した鞘管ストレート１８を鞘管エルボ１６に接続するための接続部であり、図４および図６に示すように、エルボ本体２０に形成された突出部３０に鞘管ソケット３２を組み合わせることによって構成される。すなわち、この実施例では、エルボ本体２０の下端の側面には、第１開口部２４の軸線と直交する方向（水平方向）に短円筒状に突き出す突出部３０が形成され、その突出部３０の外面に鞘管ソケット３２を円筒シート状のゴム部材３４を間に介在させた状態で外嵌させて（“無理入れ”して）固定することによって、第２開口部２８が構成される。鞘管ソケット３２は、塩化ビニルなどの合成樹脂によって形成される汎用の両受ソケットであり、その径は、たとえば１００ｍｍである。
【００５０】
さらに、第２開口部２８には、後述する内管ソケット４２を着脱自在に係合させる係合手段が設けられる。図６および図７に示すように、この実施例では、突出部３０に係合溝３６が形成され、この係合溝３６が後述する内管ソケット４２の係合突起６２と共に係合手段として機能する。係合溝３６は、突出部３０の側壁を径方向の外側に窪ませることによって形成される溝であって、後述する内管ソケット４２の係合突起６２の各々に対応した位置に形成される。係合溝３６は、突出部３０の先端から奥側（エルボ本体２０側）に向けて突出部３０の軸方向に延びる導入溝３６ａと、そこから連続して突出部３０の周方向に延びる係止溝３６ｂとからなり、全体として略Ｌ字形状を有している。また、導入溝３６ａと係止溝３６ｂとが交わる部分には、ストッパ３６ｃが形成されている。ストッパ３６ｃは、内管ソケット４２に不測の回転力が生じた場合に、内管ソケット４２の係合突起６２を係止溝３６ｂから導入溝３６ａに戻らないように掛止する。
【００５１】
さらにまた、図３に戻って、第２開口部２８の鞘管ソケット３２には、上述した鞘管ストレート１８の一端が接着接合等によって接続される。そして、後に詳細を説明するように、基礎貫通継手１０の設置時には、この鞘管ストレート１８が水平方向に延びて、その他端がコンクリート基礎１０２から屋外に露出して開口する。鞘管ストレート１８は、塩化ビニルなどの合成樹脂によって形成される汎用の直管であり、その径は、たとえば１００ｍｍであり、その長さは、後述するように、コンクリート基礎１０２のサイズに合わせて適宜調整される。
【００５２】
次に、図８−１１と共に図１を適宜参照して、内管１４について具体的に説明する。
【００５３】
図８に示すように、内管１４は、それぞれ別体として成形した、可撓性を有さない内管エルボ３８、第１内管ストレート４０、内管ソケット４２および第２内管ストレート４４を組み合わせることによって、全体として略Ｌ字状に形成され、基礎貫通継手１０の設置時には、鞘管１２の内部に挿通されて、その一端が屋内側（上流側）の屋内排水管１０４に接続され、その他端が屋外側（下流側）の屋外排水管１０６に接続される。
【００５４】
図９に示すように、内管エルボ３８は、塩化ビニルなどの合成樹脂からなり、射出成形等によって形成される。内管エルボ３８は、平面視で外形が馬蹄形状（前方後円形状）を有しており、上述したように、鞘管エルボ１６の内部に第１開口部２４から抜き差し可能な状態で収容される。内管エルボ３８は、断面形状が円形の筒状でかつ管軸方向に９０°曲がったエルボ本体４６を含み、エルボ本体４６の両端部には、互いに軸線が直交する２つの受口４８，５０が形成される。そして、内管エルボ３８を鞘管エルボ１６の内部に収容した時には、その一方の受口４８が垂直上方向に開口して流入口となり、その他方の受口５０が水平方向に開口して流出口となる。
【００５５】
エルボ本体４６の外周面の下部には、当たり部５２が形成される。当たり部５２は、鞘管エルボ１６の底面２６と協働して内管エルボ３８の位置決めを行う部位であり、その外縁が鞘管エルボ１６の底面２６の形状に相当する円弧状に形成される。
【００５６】
また、内管エルボ３８の流入口（受口）４８には、鞘管エルボ１６に沿うように垂直上方向に延びる第１内管ストレート４０が接着接合等によって接続される。そして、後に詳細を説明するように、基礎貫通継手１０の設置時には、この第１内管ストレート４０の管端が、図示しない継手などを介して屋内排水管１０４と接続される。第１内管ストレート４０は、塩化ビニルなどの合成樹脂によって形成される汎用の直管であり、その径は、たとえば７５ｍｍであり、その長さは、コンクリート基礎１０２の深さに合わせて適宜調整される。
【００５７】
また、内管エルボ３８の流出口（受口）５０には、内管ソケット４２が接続される。
【００５８】
図１０および１１に示すように、内管ソケット４２は、塩化ビニルなどの合成樹脂からなり、射出成形等によって形成される。内管ソケット４２は、断面形状が円形の筒形状を有し、その軸方向の一方端部には、内管エルボ３８の流出口５０に挿入されるソケット差口５４が形成され、その他方端部には、第２内管ストレート４４の一端を受容するソケット受口５６が形成される。
【００５９】
ソケット差口５４の外面には、ゴム溝５８が形成され、そこにゴム輪６０が設けられる。そして、内管ソケット４２を内管エルボ３８に接続した時には、このゴム輪６０によって内管ソケット４２と内管エルボ３８との間が止水される。
【００６０】
また、ソケット受口５６の外面には、係合突起６２が形成され、この係合突起６２が上述した係合溝３６と協働して、内管ソケット４２を鞘管エルボ１６の第２開口部２８に着脱自在に係合させる係合手段としての機能を果たす。係合突起６２は、ソケット受口５６の外面から径方向の外側に突き出す略直方体状の突起であって、ソケット受口５６と一体または別体で形成される。ソケット受口５６の外面には、ソケット受口５６の周方向に沿って複数（この実施例では４つ）の係合突起６２が一定間隔を隔てて並び、基礎貫通継手１０の設置時には、各係合突起６２が上述した係合溝３６にそれぞれ収容される。
【００６１】
すなわち、図７からよく分かるように、内管ソケット４２では、内管エルボ３８への接続部となるソケット差口５４と、係合溝３６と協働して係合手段としての機能を果たす係合突起６２とが、内管ソケット４２を鞘管エルボ１６の第２開口部２８に係合手段により係合させたときに、それと同時に内管ソケット４２が内管エルボ３８に水密状態でゴム輪接合される、所定の位置関係で設けられている。ソケット差口５４の外径は、たとえば７５ｍｍであり、ソケット受口５６の内径は、たとえば７５ｍｍである。また、内管ソケット４２の軸方向長さは、たとえば１００ｍｍである。
【００６２】
さらに、図８に戻って、内管ソケット４２のソケット受口５６には、鞘管ストレート１８に沿って水平方向に延びる第２内管ストレート４４が接着接合等によって接続される。そして、後に詳細を説明するように、基礎貫通継手１０の設置時には、この第２内管ストレート４４の管端が、図示しない継手などを介して屋外排水管１０６と接続される。第２内管ストレート４４は、塩化ビニルなどの合成樹脂によって形成される汎用の直管であり、その径は、たとえば７５ｍｍであり、その長さは、後述するように、コンクリート基礎１０２のサイズに合わせて適宜調整される。
【００６３】
図１を参照して、このような基礎貫通継手１０を建物のコンクリート基礎１０２に施工して、基礎貫通配管構造１００を形成する方法を以下に示す。
【００６４】
先ず、建築物のコンクリート基礎１０２を作るための基礎型枠（図示せず）を形成し、基礎型枠内に配筋１０８を配置する。このとき、必要に応じて、配筋１０８に別途鞘管１２を固定するための固定筋を設けておくようにしてもよい。
【００６５】
それから、鞘管ストレート１８をコンクリート基礎１０２の水平方向の厚みに合わせた長さに切断し、鞘管１２を所定の設置場所に設置した時に、鞘管ストレート１８の管端が基礎型枠よりも所定長さ外側に突き出すように、鞘管ストレート１８の長さを調整する。そして、そのようにして長さ調整を行った鞘管ストレート１８を鞘管エルボ１６に組み合わせることによって、鞘管１２を形成する。
【００６６】
続いて、第２内管ストレート４４をコンクリート基礎１０２の水平方向の厚みに合わせた長さに切断し、鞘管１２の内部に内管１４を挿通させた時に（内管ソケット４２を所定位置まで挿入した時に）、第２内管ストレート４４の管端が基礎型枠よりも所定長さ外側に突き出すように、第２内管ストレート４４の長さを調整する。
【００６７】
次に、内管エルボ３８と第１内管ストレート４０とを接続し、それらを鞘管１２の内部に収容する。すなわち、先ず、第１内管ストレート４０の一端を内管エルボ３８の流入口４８に挿入して、第１内管ストレート４０と内管エルボ３８とを接着接合し、それから、図１２（ａ）に示すように、その第１内管ストレート４０および内管エルボ３８を一体化させた管部品１４Ａを、第１開口部２４から鞘管エルボ１６の内部に挿入し、内管エルボ３８の流出口５０が鞘管エルボ１６の第２開口部２８に対向し、かつ内管エルボ３８の当たり部５２が鞘管エルボ１６の底面２６に当接する所定位置および向きに配置する。
【００６８】
続いて、内管ソケット４２と第２内管ストレート４４とを接着接合し、それから、その内管ソケット４２および第２内管ストレート４４を一体化させた管部品１４Ｂを、管部品１４Ａに接続する。すなわち、先ず、第２内管ストレート４４の一端を内管ソケット４２のソケット受口５６に挿入して、接着接合する。そして、その内管ソケット４２および第２内管ストレート４４を一体化させた管部品１４Ｂを、図１２（ｂ）に示すように、鞘管ストレート１８の他端の開口から鞘管ストレート１８の内部に挿入し、内管ソケット４２のソケット差口５４を鞘管エルボ１６内の所定位置に配置した内管エルボ３８の流出口５０に差し込んでゴム輪接合する。
【００６９】
このとき、内管ソケット４２を内管エルボ３８にゴム輪接合する作業と同時に、管ソケット４２を鞘管エルボ１６の第２開口部２８に係合手段により係合させる作業が行われる。
【００７０】
すなわち、図１２（ｂ）および図１３からよく分かるように、管部品１４Ｂを水平方向（図１３のＡ方向）に挿入して、係合突起６２を第２開口部２８の係合溝３６の導入溝３６ａに通しつつ、内管ソケット４２を内管エルボ３８の流出口５０に接続する。それから、管部品１４Ｂを周方向（図１１のＢ方向）に回転させて、内管ソケット４２の係合突起６２を導入溝３６ａから係止溝３６ｂに通す。これにより、内管エルボ３８に対し管部品１４Ｂが抜け方向に動くことが防止される。また、不測の回転力が生じた場合も、係合突起６２がストッパ３６ｃに掛止されることにより、管部品１４Ｂの係合が外れない。なお、内管ソケット４２のゴム輪６０や内管エルボ３８の流出口５０にＶソープ（クボタシーアイ社製）などの滑剤を塗布しておくようにすると、管部品１４ＢをＢ方向に回転させやすくなるため、好適である。
【００７１】
それから、鞘管１２がコンクリート基礎１０２の屋内側と屋外側とを連通するように、つまり鞘管エルボ１６の第１開口部２４が屋内で開口し、かつ鞘管ストレート１８の他端が屋外で開口するように、基礎型枠内に鞘管１２を配置する。
【００７２】
すなわち、先ず、鞘管エルボ１６の配筋固定部２２に配筋１０８（や固定筋）を嵌め込み、基礎型枠内に鞘管１２を吊り下げるようにして、所定の設置位置に固定する。そして、鞘管ストレート１８および第２内管ストレート４４の管端が基礎型枠よりも外側に突き出すように、基礎型枠をくりぬく施工を行う。なお、このときに鞘管ストレート１８および第２内管ストレート４４の水平方向の長さを調整するようにしてもよい。それから、鞘管ストレート１８の開口面と第２内管ストレート４４の外面との間をシリコンシーラントなどの止水用コーキング材やゴム輪などによって塞いでおく。
【００７３】
続いて、鞘管エルボ１６の第１開口部２４に必要に応じて調整管６４を挿入して第１開口部２４を上方向に延出させ、その第１開口部２４や第１内管ストレート４０の屋内側の管端部をその配置場所におけるコンクリート基礎１０２の深さ（垂直方向の厚み）に合わせた長さに切断し、鞘管１２および内管１４の垂直方向の長さを調整する。なお、予め鞘管１２の設置位置に合わせて、第１開口部２４や調整管６４ならびに第１内管ストレート４０の垂直方向の長さを調整しておくようにしてもよい。
【００７４】
それから、基礎型枠内にコンクリートを打設してコンクリート基礎１０２を形成する。
【００７５】
そして、コンクリートが乾いたら、最後に、第１開口部２４や第１内管ストレート４０を適宜切断して、第１内管ストレート４０の管端と屋内排水管１０４とを継手などを介して接着接続するとともに、鞘管ストレート１８や第２内管ストレート４４を適宜切断して、第２内管ストレート４４の管端と屋外排水管１０６とを継手などを介して接着接合する。
【００７６】
ただし、コンクリート基礎１０２の形成後に、鞘管１２の内部に内管１４の各部品（内管エルボ３８、第１内管ストレート４０、内管ソケット４２、第２内管ストレート４４）を収容するようにしてもよい。
【００７７】
これによって、建物のコンクリート基礎１０２に図１に示すような基礎貫通配管構造１００が形成される。
【００７８】
以上のように、この実施例では、内管エルボ３８と第１内管ストレート４０とを接着接合するとともに、内管ソケット４２と第２内管ストレート４４とを接着接合し、それらの内管エルボ３８と内管ソケット４２とをゴム輪接合で接続することによって、内管１４を形成するようにしている。このため、内管エルボ３８および第１内管ストレート４０（管部品１４Ａ）を鞘管エルボ１６の第１開口部２４から抜き差しすることが可能であり、また、内管ソケット４２および第２内管ストレート４４（管部品１４Ｂ）を鞘管ストレート１８の屋外側の開口から抜き差しすることが可能である。
【００７９】
このため、基礎貫通継手１０をコンクリート基礎１０２に埋設した後であっても、コンクリート基礎１０２を傷めたり、内管１４を破壊したりすることなく、内管１４の補修や交換を行うことが可能である。
【００８０】
さらに、この実施例では、内管エルボ３８と第１内管ストレート４０とを接着接合する作業や、内管ソケット４２と第２内管ストレート４４とを接着接合する作業を鞘管１２の外で行って、内管エルボ３８（管部品１４Ａ）と内管ソケット４２（管部品１４Ｂ）とをゴム輪接合により接続する作業のみを鞘管１２の中で行うようにすれば、基礎１００が垂直方向の厚みが大きい深基礎などであっても内管１４の接続作業を簡単に行うことができる。そして、内管１４の各部品どうしの接続に用いた接着剤がはみ出て鞘管１２の内部に固着するなどの不具合が生じることもない。
【００８１】
したがって、この実施例によれば、内管１４接続時の作業性を向上させることができる。
【００８２】
また、この実施例では、内管ソケット４２を鞘管エルボ１６の第２開口部２８に係合させるようにしているので、内管ソケット４２やこの内管ソケット４２に接着接合（固定的に接続）した第２内管ストレート４４の抜け出し方向や差し込み方向への動きを制限することができる。したがって、第２内管ストレート４４と屋外排水管１０６とを接続する際などに第２内管ストレート４４に引っ張り方向への外力などが作用したときにも、内管ソケット４２が内管エルボ３８から抜け出して接続不良が生じたり、離脱したりすることがない。すなわち、この実施例によれば、内管１４の接続不良を防止することができる。
【００８３】
さらにまた、この実施例では、鞘管エルボ１６の第１開口部２４を延出させる調整管６４や鞘管ストレート１８、ならびに第１内管ストレート４０や第２内管ストレート４４に汎用の合成樹脂管を利用することが可能である。つまり、この実施例では、鞘管１２が、鞘管エルボ１６に対し現地で長さ調整した調整管６４や鞘管ストレート１８を接続することができる継管構造を有しており、内管１２も、内管エルボ３８に対し現地で長さ調整した第１内管ストレート４０や第２内管ストレート４４を接続することができる継管構造を有している。
【００８４】
このため、施工現場で建物のコンクリート基礎のサイズ（基礎の深さや水平方向の厚み）に応じて、鞘管１２および内管１４の各方向の長さを適宜調整することが可能である。具体的には、コンクリート基礎が深基礎などであれば、調整管６４や第１内管ストレート４０の長さ、つまり垂直方向の長さを調整することが可能であるし、たとえば外断熱付きのコンクリート基礎であって水平方向の厚みが大きい場合や、鞘管１２の立ち上げ位置（コンクリート基礎１００から垂直上方向に露出する位置）をコンクリート基礎１００の壁面に近づけたい場合には、鞘管ストレート１８や第２内管ストレート４４の長さ、つまり水平方向の長さを調整することが可能である。
【００８５】
したがって、基礎貫通継手１０をコンクリート基礎の各種寸法に対応させることができるようになり、汎用性に優れる。
【００８６】
なお、この実施例では、鞘管１２が、それぞれ別体として成形された鞘管エルボ１６と鞘管ストレート１８とを組み合わせることによって形成されたが、これに限定される必要はない。鞘管エルボ１６、および鞘管ストレート１８を一体に成形して、鞘管１２を形成するようにしてもよい。この場合には、一体的に成形された鞘管の曲り部分から第１方向（たとえば、水平方向）に延びる部分が鞘管ストレート１８として利用される。
【００８７】
また、この実施例では、施工時にコンクリート基礎１００の垂直方向の高さに合わせて、鞘管エルボ１６の第１開口部２４に必要に応じて調整管６４を接続するようにしたが、これに限定する必要はなく、予め鞘管エルボ１６の流入口４８および流出口５０のそれぞれに鞘管ストレートを接続したものを（つまり、鞘管エルボ１６の第１開口部２４にも鞘管ストレートを接続したものを）鞘管１２として用いるようにしてもよい。
【００８８】
さらに、この実施例では、鞘管エルボ１６の第２開口部２８を、エルボ本体２０に形成した突出部３０の外面にゴム部材（シール手段）３４を介して鞘管ソケット３２を外嵌させることによって構成したが、これに限定される必要はない。たとえば、突出部３０および鞘管ソケット３２を接着接合や接合剤によって固定するようにしてもよい。この場合には、鞘管エルボ１６を、鞘管ソケット３２と同じように、塩化ビニルなどの合成樹脂によって成形すると好適である。また、予め突出部３０および鞘管ソケット３２を鞘管エルボ１６に一体的に形成しておき、それを第２開口部２８として利用してもよい。ただし、鞘管エルボ１６のエルボ本体２０に形成された突出部３０に対しそれと別体として成形した鞘管ソケット３２を固定するようにすると、鞘管エルボ１６の肉厚を均一にし易くなるので、鞘管エルボ１６をブロー成形などの成形方法によって成形することができるようになり、好適である。
【００８９】
そして、上記のいずれの場合においても、鞘管ソケット３２の内面側に係合手段（係合溝３６など）を設けるようにしてもよい。要は、第２開口部２８を構成する部位のどこかに内管ソケット４２を着脱可能に係合するための係合手段が具備されていればよい。
【００９０】
さらにまた、この実施例では、内管エルボ３８と第１内管ストレート４０とを、ならびに内管ソケット４２と第２内管ストレート４４とを接着接合するようにしたが、これに限定される必要はない。内管エルボ１４および第１内管ストレート４０を（管部品１４Ａを）一体に成形するようにしてもよいし、内管ソケット４２および第２内管ストレート４４を（管部品１４Ｂを）一体に成形するようにしてもよい。
【００９１】
また、第１開口部２４から抜き差し可能な状態で鞘管エルボ１６の内部に配置することができるのであれば、内管エルボ３８として、塩化ビニルなどの合成樹脂によって形成される汎用の９０°エルボを利用するようにしてもよい。
【００９２】
さらに、この実施例では、鞘管エルボ１２の第２開口部２８と内管ソケット４２との係合手段として、第２開口部２８に係合溝３６を形成し、内管ソケット４２に係合突起６２を形成するようにしたが、鞘管エルボ１６の第２開口部２８に内管ソケット４２を着脱自在に係合させることができるのであれば、他の構成を採用するようにしてもよい。たとえば、係合手段として、内管ソケット４２の外面に雄ネジを形成し、第２開口部２８の内面に雌ネジを形成するなどして、それらを螺合させるようにしてもよい。また、バヨネット方式（或いはターンアップ方式）を係合手段として採用してもよい。
【００９３】
さらに、この実施例では、内管ソケット４２のソケット差口５４の外面にゴム輪６０が設けられ、このゴム輪６０によって内管ソケット４２と内管エルボ３８との間を止水するようにしたが、これに限定される必要はなく、内管エルボ３８の流出口５０の内面に形成したゴム溝にゴム輪を設け、そのゴム輪によって内管ソケット４２と内管エルボ３８との間を止水するようにしてもよい。
【００９４】
さらにまた、この実施例では、鞘管エルボ１６の第１開口部２４が屋内に露出して開口し、かつ鞘管ストレート１８の他端が屋外に露出して開口するように鞘管１２をコンクリート基礎１０２に配置したが、これに限定される必要はない。
【００９５】
図示は省略するが、鞘管エルボ１６の第１開口部２４（または調整管６４や鞘管ストレート）が屋外に露出して開口し、かつ鞘管ストレート１８の他端が屋内に露出して開口するように鞘管１２をコンクリート基礎１０２に配置するとともに、第１内管ストレート４０の他端を屋外まで延ばして屋外排水管１０６に接続し、かつ第２内管ストレート４０の他端を屋内まで延ばして屋内排水管１０４に接続するようにしてもよい。
【００９６】
なお、上で上げた寸法の具体的な数字はいずれも単なる一例であり、必要に応じて適宜変更可能である。
【符号の説明】
【００９７】
１０  …基礎貫通継手
１２  …鞘管
１４  …内管
１６  …鞘管エルボ
１８  …鞘管ストレート
２４  …第１開口部
２８  …第２開口部
３０  …突出部
３２  …鞘管ソケット
３６  …係合溝
３８  …内管エルボ
４０  …第１内管ストレート
４２  …内管ソケット
４４  …第２内管ストレート
５４  …ソケット差口
５６  …ソケット受口
６２  …係合突起
１００  …基礎貫通配管構造
１０２  …コンクリート基礎
１０４  …屋内排水管
１０６  …屋外排水管
【図１】
2015045374.tif 000003
【図２】
2015045374.tif 000004
【図３】
2015045374.tif 000005
【図４】
2015045374.tif 000006
【図５】
2015045374.tif 000007
【図６】
2015045374.tif 000008
【図７】
2015045374.tif 000009
【図８】
2015045374.tif 000010
【図９】
2015045374.tif 000011
【図１０】
2015045374.tif 000012
【図１１】
2015045374.tif 000013
【図１２】
2015045374.tif 000014
【図１３】
2015045374.tif 000015